(57)【特許請求の範囲】
【請求項１】
制御盤が、手動起動部を操作することによる起動信号を起動用の信号線を介して受けて、または監視区域に設けた火災検出器の発報信号を受けて、消火剤放出用起動手段に制御信号を送出し自動的に消火剤を放出して消火を行う消火設備において、
前記手動起動部と前記制御盤とに接続された前記起動用の信号線に地絡、断線、短絡などの異常が発生したときに起動禁止状態とする起動禁止部と、
前記起動禁止部による起動禁止状態を強制的に解除して放出可能な状態にする強制起動モード設定手段と、
を設けたことを特徴とする消火設備。
【請求項２】
請求項１記載の消火設備において、強制起動可能状態時は前記火災検出器の発報により消火剤を放出させることを特徴とした消火設備。
【請求項３】
請求項１又は２記載の消火設備において、前記強制起動モード設定手段の操作により強制起動可能状態になっていることを表示する表示部を設けたことを特徴とする消火設備。
【請求項４】
請求項１乃至３のいずれかに記載の消火設備において、前記強制起動モード設定手段の操作により閉じる第１のリレー接点を、起動リレーに直列に接続され異常が発生したとき開く第２のリレー接点に対して並列に接続したことを特徴とする消火設備。
【請求項５】
制御盤が、手動起動部を操作することによる起動信号を起動用の信号線を介して受けて、または監視区域に設けた火災検出器の発報信号を受けて、消火剤放出用起動手段に制御信号を送出し自動的に消火剤を放出して消火を行う消火設備において、
前記手動起動部と前記制御盤とに接続された前記起動用の信号線に地絡、断線、短絡などの異常が発生したときに起動禁止状態とする起動禁止部と、
前記起動禁止部による起動禁止状態で前記火災検出器からの発報信号を受信したとき作動して、消火剤を放出させるための起動装置を手動で操作するよう指示する行動指示部と、を備えたことを特徴とする消火設備。
【請求項６】
請求項５記載の消火設備において、前記行動指示部は、前記異常が発生し起動禁止状態で手動起動部の起動扉を開いたときに作動することを特徴とする消火設備。
【発明の詳細な説明】
【０００１】
【産業上の利用分野】
本発明は、火災時に消火剤を放出して室内の火災を消火する消火設備に関し、特にハロンガスや二酸化炭素の消火ガスを放出して消火を行うガス系の消火設備や粉末を放出して消火を行う粉末消火設備に関する。
【０００２】
【従来の技術】
従来、この種の消火設備としては、火災感知器の火災信号によって自動的に消火剤が放出されるか、もしくは人が火災を確認し、手動で手動起動スイッチを操作することによっても消火剤が放出されるものが知られている。
このような消火設備の例を図５に示す。図５はガス系の消火設備である（特願平６−６２４３２号、参照）。
【０００３】
図５において、１は制御盤であり、ガス系の消火設備を一括制御する。２ａ，２ｂは手動起動装置であり、監視区域の部屋毎に部屋の外に設置され、手動起動手段としての手動起動スイッチと手動起動スイッチを保護するための扉を備え、人が火災を発見したときには、この扉を開け、手動起動スイッチを操作することにより制御盤１に火災が起きたことを知らせ、消火剤としての消火ガスを放出させる。
【０００４】
３ａ，３ｂは放出表示灯であり、監視区域内に消火ガスが放出されていることを表示し、室内に入らないことを知らせる。４ａ，４ｂは噴射ヘッドであり、消火ガスを室内に放出する。５ａ，５ｂは消火ガスが放出されることを警報し、監視区域内に存在する人々に対し直ちに避難することを促す音声警報スピーカである。６は消火ガスを貯蔵した消火薬剤貯蔵容器である。７ａ，７ｂは起動装置であり、制御盤１から消火ガス放出命令を受けて選択弁８ａ，８ｂと消火薬剤貯蔵容器６の栓を開けるために、例えば二酸化炭素などの開放ガスを放出する。すなわち、起動装置７ａ，７ｂは二酸化炭素ガスが収納された容器を有し、制御盤１からの通電により、起動装置７ａ，７ｂ内のソレノイドが作動すると、弁が開放され、開放ガスのガス圧により選択弁８ａ，８ｂと消火薬剤貯蔵容器６の栓を開ける。
【０００５】
選択弁８ａ，８ｂは起動装置７ａ，７ｂの起動により弁が開き、消火ガスを火災の生じた部屋へ導く。９ａ，９ｂは火災を検出する火災検出手段としてのセンサであり、２回線の感知ラインで各監視区域を監視している。１０ａ，１０ｂは圧力スイッチであり、消火薬剤貯蔵容器６から消火ガスが放出されたことを検出し、制御盤１に検出信号を送り、火災の発生した監視区域に対応した放出表示灯３ａ，３ｂを点滅させる。１１ａ，１１ｂはピストンレリーザであり、消火ガスが部屋に放出されたとき消火ガスを室外に漏れないようにダンパーで排煙口を閉じる。
【０００６】
ピストンレリーザ１１ａ，１１ｂは、消火ガスの流入により自動的にダンパーを閉じ、ピストンレリーザ１１ｂのダンパーの復旧はダンパー復旧弁１２により行われ、ピストンレリーザ１１ａのダンパーの復旧は手動により行われる。
制御盤１は、手動起動モード表示灯と自動起動モード表示灯の２つの表示灯などを有する。１３は制御盤１に非常電源を供給する非常電源装置、１４は消火薬剤貯蔵容器６からの消火ガスの供給を手動で閉止する閉止弁である。
【０００７】
手動起動モードまたは自動起動モードにかかわらず、起動条件を満たすと、制御盤１は音声警報スピーカ５ａ，５ｂで消火ガスが放出されることを警報し、監視区域に消火ガスを放出するように、火災の発生した監視区域に対応して手動起動装置２ａ，２ｂに対応した起動装置７ａ，７ｂを起動させるように制御信号を出力する。制御信号を受けてソレノイドが作動すると、起動装置７ａ，７ｂは選択弁８ａ，８ｂの弁と消火薬剤貯蔵容器６の弁を開けるために開放ガスを放出する。
【０００８】
開放ガスのガス圧により弁が開かれると、消火薬剤貯蔵容器６内の消火ガスは配管を通って起動した起動装置７ａ，７ｂに対応して開かれた選択弁８ａ，８ｂを介して噴射ヘッド４ａ，４ｂから消火ガスが火災の発生した部屋に放出され、同時に消火ガスでピストンレリーザ１１ａ，１１ｂを閉じて部屋を消火ガスで充満させる。消火薬剤が圧力スイッチ１０ａ，１０ｂをオンさせると制御盤１に信号が流れ、制御盤１は放出表示灯３ａ，３ｂを点滅させる。
【０００９】
手動起動モードにセットされている場合は、センサ９ａ、またはセンサ９ｂが発報すると、制御盤１において警報を出力し監視員に現場を確認することを促す。監視員が現場を確認し、火災と判断したときに火災現場に対応した手動起動装置２ａ，２ｂの扉を開け、手動起動スイッチを操作することにより、手動起動を行う。また、自動起動モードにセットされている場合は、２回線のセンサ９ａ，９ｂが発報したときに制御盤１が自動的に消火起動を行う。
【００１０】
ここで、従来のガス系の消火設備においては、保守点検面を重視して、手動起動装置と制御盤とをつなぐ起動信号線に地絡、断線、短絡などの異常が発生したときには、手動起動スイッチを操作しても、または自動起動モード時に２回線の火災感知器が発報しても、消火ガスが放出されないような設定にされていた。これは、工事または点検をしている最中に間違って起動信号線をショートさせて起動信号を送出してしまうことがあるからである。
【００１１】
なお、この場合、起動信号線以外の信号線は正常に働いており、例えば、火災感知器の監視線は通常通り発報信号は送出可能であるし、スピーカの信号線も正常であり音声を監視区域に流すこともできる。
【００１２】
【発明が解決しようとする課題】
しかしながら、このような従来の消火設備にあっては、起動信号線に地絡、断線、短絡などの異常が発生した起動禁止状態においては、異常中に実際に火災が発生した場合、火災感知器からの発報信号は制御盤にて受信できるが、手動起動スイッチを操作しても消火ガスを起動放出することができなかった。
【００１３】
また、前述したように自動起動モードで２回線の火災感知器が発報しても消火ガスを起動放出することができなかった。
このため、この状況の時には監視員が起動装置のある場所に駆けつけ、起動装置内にあるソレノイドを手動で操作（ソレノイドのピンを抜く）して強制的に起動させる方法をとる以外なかった。
【００１４】
ところが通常一般の監視員は、この強制的な起動方法を知っている人は少なく、起動信号線の異常中に火災が発生しても対処方法が解らず混乱してしまうことが多かった。
本発明は、このような従来の問題点に鑑みてなされたものであって、起動信号線の地絡、断線、短絡などの異常中に火災が発生しても、対処方法が解らず混乱してしまうことを防止し、直ちに消火ガスを放出して、迅速に消火活動を行うことができる消火設備を提供することを目的とする。
【００１５】
【課題を解決するための手段】
この目的を達成するために、本発明は、次のように構成する。
本発明は、制御盤が、手動起動部を操作することによる起動信号を起動用の信号線を介して受けて、または監視区域に設けた火災検出器の発報信号を受けて、消火剤放出用起動手段に制御信号を送出し自動的に消火剤を放出して消火を行う消火設備において、手動起動部と制御盤とに接続された起動用の信号線に地絡、断線、短絡などの異常が発生したときに起動禁止状態とする起動禁止部と、起動禁止部による起動禁止状態を強制的に解除して放出可能な状態にする強制起動モード設定手段と、を設けたことを特徴とする。
【００１６】
また、本発明は、強制起動可能状態時は火災検出器の発報により消火剤を放出させることを特徴とした。
また、本発明は、強制起動モード設定手段の操作により強制起動可能状態になっていることを表示する表示部を設けたことを特徴とする。
また、本発明は、強制起動モード設定手段の操作により閉じる第１のリレー接点を、起動リレーに直列に接続され異常が発生したとき開く第２のリレー接点に対して並列に接続したことを特徴とする。
【００１７】
また、本発明は、制御盤が、手動起動部を操作することによる起動信号を起動用の信号線を介して受けて、または監視区域に設けた火災検出器の発報信号を受けて、消火剤放出用起動手段に制御信号を送出し自動的に消火剤を放出して消火を行う消火設備において、手動起動部と制御盤とに接続された起動用の信号線に地絡、断線、短絡などの異常が発生したときに起動禁止状態とする起動禁止部と、起動禁止部による起動禁止状態で火災検出器からの発報信号を受信したとき作動して、消火剤を放出させるための起動装置を手動で操作するよう指示する行動指示部と、を備えたことを特徴とする。
【００１８】
また、本発明の行動指示部は、異常が発生し起動禁止状態で手動起動部の起動扉を開いたときに作動することを特徴とする。
【００１９】
【作用】
このような構成を備えた本発明の消火設備によれば、手動起動部と制御盤とに接続された起動用の信号線に地絡、断線、短絡などの異常が発生して起動禁止状態としたとき、この起動禁止状態を強制起動モード設定手段の操作により強制的に解除して放出可能な状態にするので、地絡、断線、短絡などの異常中に火災が発生しても、消火ガスが放出されず、対処方法が解らずに混乱するということもなく、直ちに消火ガスを放出することができ、迅速に消火活動を行うことができる。
【００２０】
また、強制起動可能状態のときは火災検出器の発報により消火ガスを放出するようにしたので、異常中でも火災検出器が発報すれば消火剤を強制的に放出できる。
また、強制起動モード設定手段の操作により強制起動可能状態になっていることを表示するので、強制起動状態であると監視員に注意を促すことができる。
【００２１】
また、本発明においては、強制起動モード設定手段の操作により閉じる第１のリレー接点を、起動リレーに直列に接続され異常が発生したとき開く第２のリレー接点に対して並列に接続したので、簡単な構成で異常中に火災が発生したときは、起動リレーを作動させて、起動装置を起動することができる。
一方、本発明は、異常が発生し起動禁止状態で火災検出器からの発報信号を受信したとき、または異常が発生し起動禁止状態で手動起動部の起動扉を開いたときに、起動装置を手動で操作するよう行動指示を行うので、異常中に火災が発生しても、対処方法が解らず、混乱するということもなく、直ちに消火ガスを放出することができ、迅速に消火活動を行うことができる。
【００２２】
【実施例】
図１は本発明の一実施例に係る消火設備のブロック図である。
図１において、２１はガス系の消火設備を制御する制御盤であり、制御盤２１には火災検出器としての火災感知器２２ａ，２２ｂ、手動起動装置２３、起動装置２４、放出表示灯２５、圧力スイッチ２６およびスピーカ２７がそれぞれ接続されている。制御盤２１は各監視区域に対応して制御を行うための複数の区画２８を有し、区画２８内には区画制御部２９、センサ受信回路３０、蓄積回路３１、監視回路３２、区画表示部３３および音声出力部３４がそれぞれ設けられている。
【００２３】
これらの区画２８以外の領域には各区画毎に設けられた区画制御部２９を制御する主制御部３５、主表示部３６、主操作部３７、ブザー３８、音声ユニット３９、電源部４０、音声出力回路４４およびスピーカ４５がそれぞれ設けられている。主操作部３７には自動起動モードと手動起動モードを切り換える自／手起動モード切換スイッチ、復旧を行うための復旧スイッチなどが設けられている。
【００２４】
また主操作部３７には、強制起動モードスイッチ５１が設けられる。強制起動モードスイッチ５１は、スイッチ操作により、起動信号線４１に地絡、断線、短絡などの異常発生を検出して起動禁止部３５ｂによりセットした起動禁止状態を強制的に解除して消火ガスが放出可能な状態に設定する。
主表示部３６には自動起動モードを表示する自動起動モード灯、手動起動モードを表示する手動起動モード灯が設けられ、さらに起動条件が成立したときに点灯する起動表示灯、消火ガスが放出されたことを表示する放出表示灯などが設けられている。
【００２５】
また、主表示部３６には強制起動モード注意灯５２が設けられている。強制起動モード注意灯５２は主操作部３７の強制起動モードスイッチ５１を操作すると点灯し、起動禁止状態が解除されて、強制起動モードになっていることを表示する。
ブザー３８は主制御部３５の指示により火災や異常が発生したことを警報する。音声ユニット３９は消火ガスが監視区域で放出されることを知らせる音声メッセージを合成して出力する。電源部４０は各部に電源を供給する。
【００２６】
主制御部３５は、タイマ３５ａを備えており、起動条件が成立したとき、すなわち、自動起動モードで火災感知器２２ａ，２２ｂが２回線とも発報したときや、手動起動装置２３の扉が開けられたことによる扉開放検出部２３ｂがオンし、手動起動スイッチ２３ａが操作されたとき、手動起動モードで手動起動装置２３内の扉開放検出部２３ｂがオンし手動起動スイッチ２３ａが操作されたときは、タイマ３５ａで所定の放出遅延時間分だけカウントし、カウントが終了してタイムアップになると、起動条件が成立した区画２８の区画制御部２９に放出信号を送出する。区画制御部２９は放出信号を受信するとリレー接点を閉じて、電源を起動装置２４に供給して起動装置２４を起動させる。
【００２７】
また主制御部３５は起動禁止部３５ｂを有し、異常が発生したときは、起動装置２４の起動を禁止する。すなわち、起動禁止部３５ｂは、手動起動装置２３と制御盤２１との間に接続される起動信号線４１に地絡、断線、短絡などの異常が発生したときは、起動条件が成立しても起動を禁止する。
音声出力回路４４は主制御部３５の出力信号により作動し、起動信号線の異常時に消火剤を放出させるときに、起動装置２４のソレノイドを手動で操作するように指示する音声メッセージを出力する回路であり、スピーカ４５にて行動指示を行う。
【００２８】
手動起動装置２３内には手動起動部としての手動起動スイッチ２３ａ以外に扉開放検出部２３ｂ、操作部２３ｃおよび表示部２３ｄが設けられている。扉開放検出部２３ｂは手動起動スイッチ２３ａを操作するために手動起動装置２３の扉が開放されたことを検出する。操作部２３ｃには非常停止スイッチが設けられ、また、手動起動装置２３からも自動起動モードと手動起動モードの切換えを行うことができるように、自／手起動切換スイッチを設けても良い。
【００２９】
表示部２３ｄには火災の発生を表示する火災表示灯、異常の発生を表示する異常表示灯、電源灯などが設けられている。また、表示部２３ｄには強制起動モード注意灯５３が設けられている。強制起動モード注意灯５３は、主操作部３７の強制自動モードスイッチ５１を操作すると点灯し、起動禁止状態を解除して、消火ガスが放出可能な状態になったことを表示する。
【００３０】
区画２８内に設けられた蓄積回路３１は火災感知器２２ｂからの火災信号を受信したとき、所定の時間蓄積を行って再度火災感知器２２ｂから発報信号を受信した場合にセンサ受信回路３０に出力するものである。センサ受信回路３０には蓄積回路３１を介しての火災感知器２２ｂからの発報信号と火災感知器２２ａからの発報信号がそれぞれ入力し、センサ受信回路３０は２回線の火災感知器２２ａ，２２ｂからの各発報信号を区画制御部２９に出力する。
【００３１】
監視回路３２は、手動起動装置２３の手動起動スイッチ２３ａと制御盤２１を結ぶ起動信号線４１の監視を行い、起動信号線４１の異常（地絡、短絡、断線）を検出する。また、監視回路３２は手動起動信号の監視を行う。手動起動装置２３の手動起動スイッチ２３ａが操作されたときは手動起動信号が監視回路３２を経由して区画制御部２９に送出される。
【００３２】
監視回路３２が起動信号線４１の異常を検出したときは、異常信号を区画制御部２９に送出し、区画制御部２９は区画表示部３３の異常表示灯および手動起動装置２３の表示部２３ｄの異常表示灯を点灯させる。また、区画制御部２９は異常信号を主制御部３５に送出し、主制御部３５の起動禁止部３５ｂは、起動条件が成立しても起動装置２４に起動信号を送出しないように起動禁止状態にする。この起動禁止状態は、強制起動モードスイッチ５１の操作により解除される。
【００３３】
なお、起動信号線４１に異常が発生しても起動信号線４１以外の信号線は正常に働いている。例えば、火災感知器２２ａ，２２ｂの監視線４２ａ，４２ｂは通常通り発報信号を送出することができ、また、スピーカ２７の信号線４３も正常であり、消火ガスが放出されることを音声にて出力することもできる。
区画表示部３３には火災表示灯、異常表示灯などが設けられ、区画表示部３３は火災が発生したときは火災表示灯を点灯させ、異常が検出されたときは異常表示灯を点灯させる。
【００３４】
消火ガスが監視区域に放出されることをスピーカ２７で監視区域に出力するときは、区画制御部２９が音声出力部３４に出力信号を出力し、音声出力部３４は音声ユニット３９とスピーカ２７を接続して音声メッセージを出力させる。
起動装置２４内にはソレノイドが設けられており、区画制御部２９内に設けられている図示しないリレー接点が閉じると、区画制御部２９から電源がソレノイドに供給され、ソレノイドが作動する。ソレノイドが作動すると、開放ガスが放出され、開放ガスによって消火ガスが放出される。消火ガスが放出されると、圧力スイッチ２６がオンし、区画制御部２９にオン信号を出力する。区画制御部２９はオン信号の入力により放出表示灯２５を点滅させる。
【００３５】
次に、図２は起動装置２４の外観図である。
図２において、２４ａは起動装置２４のボックスであり、ボックス２４ａ内には開放ガス容器２４ｂ、ソレノイド２４ｃなどが収納されている。区画制御部２９からソレノイド２４ｃに通電すると、ソレノイド２４ｃが作動し、開放ガス容器２４ｂの弁を開放する。開放ガス容器２４ｂから開放ガス（例えば、二酸化炭素ガス）が放出されると、このガス圧により、消火薬剤貯蔵容器の弁および選択弁が開放され、消火ガスが放出される。
【００３６】
ソレノイド２４ｃへの通電によらず、手動で起動装置２４を起動するときは、ソレノイド２４ｃの上に設けたピン２４ｄを抜けば良い。ピン２４ｄを抜くと、弁が開放され、開放ガス容器２４ｂから開放ガスが放出される。
図３は図１の監視回路３２及び主制御部３５の起動禁止部３５ｂによる起動禁止状態を解除する起動禁止解除回路を示す。
【００３７】
図３（Ｂ）において、５１はノンロック式の強制起動モードスイッチであり、強制起動モードスイッチ５１は、制御盤２１の主操作部３７内に設けられるが、監視員が常時待機している防災センタ内に設けても良い。
強制起動モードスイッチ５１には強制起動リレー５６およびリレー接点５７ａが直列に接続され、また、第１のリレー接点としてのリレー接点５６ａが並列に接続されている。強制起動モードスイッチ５１を操作すると、強制起動リレー５６が作動し、リレー接点５６ａが閉じる。リレー接点５６ａが閉じると、ノンロック式の強制起動モードスイッチ５１がオフになっても強制起動リレー５６は作動を保持する。リレー接点５７ａは、復旧スイッチを操作すると、開くリレー接点であり、リレー接点５７ａが開くと、強制起動リレー５６は不作動となり、強制起動モードが解除される。
【００３８】
図３（Ａ）において、５８ａは起動信号線４１に地絡が発生したことを監視回路３２で検出したとき図示しないリレーにより開くリレー接点（第２のリレー接点）、５８ｂは起動信号線４１に断線が発生したことを監視回路３２で検出したとき図示しないリレーにより開くリレー接点（第２のリレー接点）、５８ｃは起動信号線４１に短絡が発生したことを監視回路３２で検出したとき図示しないリレーにより開くリレー接点（第２のリレー接点）である。
【００３９】
これらのリレー接点５８ａ，５８ｂ，５８ｃは、直列回路５９を構成している。この直列回路５９には強制起動モードスイッチ５１の操作による強制起動リレー５６の作動で閉じるリレー接点５６ｂが並列に接続され、また、自己保持リレー６０が直列に接続されている。自己保持リレー６０とリレー接点５８ａの間の接続点６１にはタイマ起動リレー５４が接続されている。タイマ起動リレー５４は主制御部３５のタイマ３５ａを作動させるためのリレーであり、タイマ起動リレー５４の作動によりタイマ３５ａが所定の放出遅延時間のカウントを開始する。また、自己保持リレー６０が作動すると閉じるリレー接点６０ａが直列回路５９と接地の間に接続されている。
【００４０】
６２ａは火災感知器２２ａが発報したとき、図示しないリレーの作動で閉じるリレー接点、６２ｂは火災感知器２２ｂが発報したとき図示しないリレーの作動で閉じるリレー接点、６３ａは自／手起動モード切換スイッチを自動起動モードに設定したとき図示しないリレーの作動で閉じるリレー接点である。
これらのリレー接点６２ａ，６２ｂ，６３ａは直列回路６４を構成している。この直列回路６４は、リレー接点５８ｃとリレー接点６０ａの接続点６５に接続されている。なお、リレー接点６３ａに並列に強制起動リレー５６の作動で閉じるリレー接点５６ｃが操作されている。
【００４１】
６６ａは手動起動装置２３の手動起動スイッチ２３ａが操作されたとき図示しないリレーの作動で閉じるリレー接点、６７ａは手動起動装置２３の扉が開放されたことを扉開放検出部２３ｂで検出したとき図示しないリレーの作動で閉じるリレー接点である。これらのリレー接点６６ａ，６７ａは直列回路６８を構成し、直列回路６８はリレー接点５８ｃとリレー接点６０ａの間の接続点６５に接続されている。
【００４２】
次に、図３の動作を説明する。まず、通常時の異常が発生していない場合に起動条件が成立したときの動作を説明する。この状態においては、図３のように、リレー接点５６ａ，５６ｂおよび５６ｃが開き、リレー接点５８ａ，５８ｂ，５８ｃが閉じている。すなわち、強制起動モードスイッチ５１が操作されていないので、強制起動リレー５６は作動せず、リレー接点５６ａ，５６ｂおよび５６ｃは開いたままであり、また、起動信号線４１に地絡、断線、短絡の異常が発生していないので、リレー接点５８ａ，５８ｂ，５８ｃは閉じたままである。
【００４３】
この状態において、自動起動モードに設定され、火災感知器２２ａ，２２ｂが２回線ともに発報すると、リレー接点６３ａ，６２ａ，６２ｂが閉じるので、タイマ起動リレー５４が作動する。また、タイマ起動リレー５４の作動と同時に自己保持リレー６０が作動し、リレー接点６０ａを閉じる。リレー接点６０ａが閉じると、手動起動モードに切り換えられても、タイマ起動リレー５４は作動を保持する。
【００４４】
また、手動起動モード、自動起動モードに係わらず、手動起動装置２３の扉を開放し、手動起動スイッチ２３ａを操作したときはリレー接点６６ａ，６７ａが閉じ、同様にタイマ起動リレー５４が作動する。タイマ起動リレー５４の作動により、タイマ３５ａが作動し、カウントが終了してタイムアップになると、起動装置２４内のソレノイド２４ｃを作動し、消火ガスを放出させる。
【００４５】
次に、異常が発生した場合の回路の動作を異常時に強制起動させる場合の動作の説明をする。
起動信号線４１に地絡が発生すると、監視回路３２はこれを検出した地絡検出信号を区画制御部２９に出力し、区画制御部２９内の図示しないリレーの作動によりリレー接点５８ａが開く。また、起動信号線４１に断線が発生すると、監視回路３２はこれを検出し、断線検出信号を区画制御部２９に出力し、区画制御部２９内の図示しないリレーが作動して、リレー接点５８ｂが開く。また、起動信号線４１に短絡が発生すると、監視回路３２はこれを検出し、短絡検出信号を区画制御部２９に出力し、区画制御部２９内の図示しないリレーの作動により、リレー接点５８ｃが開く。
【００４６】
リレー接点５８ａ，５８ｂ，５８ｃのうちいずれか１つが開くと、起動禁止状態になり、たとえ自動起動モードで火災感知器２２ａ，２２ｂの２回線とも発報したとしても、タイマ起動リレー５４は作動しない。当然、手動起動装置２３を操作して起動させようとしても、手動起動スイッチ２３ａが操作されたことは、起動信号線４１の異常により制御盤２１は受信できず、リレー接点６６ａは開いたままでタイマ起動リレー５４は作動しない。よって、従来例で説明したように消火ガスを放出することができない。
【００４７】
起動信号線４１の異常時に、実際に火災が発生し消火剤を放出させる場合は、強制起動モードスイッチ５１を操作すれば良い。すると、強制起動リレー５６が作動し、リレー接点５６ａ，５６ｂ，５６ｃが閉じて強制起動モードに設定される。起動信号線４１に地絡、断線、短絡の異常の発生により、リレー接点５８ａ，５８ｂ，５８ｃのうちの１つが開いても、リレー接点５６ｂ，５６ｃが閉じているため、手動起動モード、自動起動モードに係わらず、２回線の火災感知器２２ａ，２２ｂが発報すればタイマ起動リレー５４を作動させることができる。
【００４８】
したがって、起動信号線４１の地絡、断線、短絡の異常中に実際に火災が発生しても、消火ガスが放出されず、対処方法が解らず、混乱するということがなく、２回線の火災感知器の発報で消火ガスが放出されるので、迅速に消火活動を行うことができる。なお、強制起動モードに設定されたときは、起動モードに係わらず火災感知器２２ａ，２２ｂが発報すれば、強制的にタイマの放出遅延時間のカウント後に消火ガスが放出されるため、強制起動モード注意灯５２，５３を点灯すると共に、ブザー３８にて警報を出力して監視員に強制起動モードであることの注意を促す。
【００４９】
次に、図４は本発明の他の実施例を示す回路図である。
図４において、７１は制御盤２１内に設けられた行動指示リレーであり、行動指示リレー７１が作動すると音声出力部４４を作動させ、スピーカ４５から起動装置２４のソレノイド２４ｃを手動で操作するように行動を指示し、さらにブザー３８で警報を行うものである。起動装置２４のソレノイド２４ｃを手動で操作するときは、図２に示したように、ソレノイド２４ｃの上に設けたピン２４ｄを抜くと、開放ガス容器２４ｂの弁が開放されて、開放ガスが放出されるようになっている。
【００５０】
７２ａは起動信号線４１に地絡が発生したとき閉じるリレー接点、７２ｂは起動信号線４１に断線が発生したとき閉じるリレー接点、７２ｃは起動信号線４１に短絡が発生したとき閉じるリレー接点である。これらのリレー接点７２ａ，７２ｂ，７２ｃは互いに並列に接続され、並列回路７３を構成している。
６２ａは火災感知器２２ａが発報したとき閉じるリレー接点、６２ｂは火災感知器２２ｂが発報したとき閉じるリレー接点であり、リレー接点６２ａ，６２ｂは直列に接続され、直列回路７４を構成している。６７ａは手動起動装置２３の扉が開放されたことを扉開放検出部２３ｂで検出したとき閉じるリレー接点である。これらの直列回路７４およびリレー接点６７ａが並列回路７５を構成している。
【００５１】
行動指示リレー７１には、リレー接点７２ａ，７２ｂ，７２ｃよりなる並列回路７３およびリレー接点６２ａ，６２ｂ，６２ｃよりなる並列回路７５がそれぞれ直列に接続されている。したがって、異常が発生してリレー接点７２ａ，７２ｂ，７２ｃの１つが閉じ、かつ、手動起動装置２３の扉が開放されてリレー接点６９ａが閉じるか、または火災感知器２２ａ，２２ｂが２回線とともに発報して、リレー接点６２ａ，６２ｂが閉じたとき作動する。
【００５２】
次に、図４の動作を説明する。
起動信号線４１に地絡、断線、短絡の異常が発生し、リレー接点７２ａ，７２ｂ，７２ｃの１つが閉じ、かつ、火災感知器２２ａ，２２ｂが２回線ともに発報して、リレー接点６２ａ，６２ｂが閉じるか、または手動起動装置２３の扉が開放されてリレー接点６７ａが閉じると、行動指示リレー７１が作動する。
【００５３】
行動指示リレー７１が作動すると、主制御部３５は警報ブザー３８を鳴動し警報を出力すると共に、音声出力回路４４に出力信号を送出し、音声出力回路４４は起動装置２４のソレノイド２４ｃを手動で操作するように指示する音声メッセージを出力し、スピーカ４５で知らせる。
したがって、地絡、断線、短絡の異常中に実際に火災が発生しても、起動装置２３のソレノイド２３ｃを手動で操作するように指示を行うので、対処方法が解らず混乱するということがなく、直ちに消火ガスを放出することができ、迅速に消火活動を行うことができる。
【００５４】
なお、上記実施例ではガス系の消火設備について説明したが、手動起動装置を備え、手動起動装置と火災感知器のどちらかで消火ガスを放出させる消火設備、例えば粉末消火設備、であれば本発明を適用できる。
【００５５】
【発明の効果】
以上説明してきたように、本発明によれば、起動信号線に地絡、断線、短絡などの異常が発生しても、強制的に起動可能な状態とする強制起動モード設定手段を設けたことで、異常中に火災が発生したときは強制起動して直ちに消火ガスを放出することができ、迅速に消火活動を行うことができる。
【００５６】
また、異常中に火災検出器が発報したとき、または異常中に手動起動装置の扉を開けたときは、起動装置のソレノイドを手動で操作するように行動を指示するため、対処方法が解らず混乱するということがなく、さらに消火ガスを放出するので、迅速に消火活動を行うことができる。
【図面の簡単な説明】
【図１】本発明の一実施例に係る消火設備のブロック図
【図２】起動装置の外観図
【図３】起動禁止解除回路を示す図
【図４】本発明の他の実施例に係わる回路を示す図
【図５】従来例を示す図
【符号の説明】
２１：制御盤
２２ａ，２２ｂ：火災感知器（火災検出器）
２３：手動起動装置
２３ａ：手動起動スイッチ（手動起動部）
２３ｂ：扉開放検出部
２３ｃ：操作部
２３ｄ：表示部
２４：起動装置
２５：放出表示灯
２６：圧力スイッチ
２７：スピーカ
２８：区画
２９：区画制御部
３０：センサ受信回路
３１：蓄積回路
３２：監視回路
３３：区画表示部
３４：音声出力部
３５：主制御部
３５ａ：タイマ
３５ｂ：起動禁止部
３６：主表示部
３７：主操作部
３８：ブザー
３９：音声ユニット
４１：起動信号線
５１：強制起動モードスイッチ
５２，５３：強制起動モード注意灯
５４：タイマ起動リレー
【図１】
0003679454.tif 000002
【図２】
0003679454.tif 000003
【図３】
0003679454.tif 000004
【図４】
0003679454.tif 000005
【図５】
0003679454.tif 000006